(57)【要約】【課題】  本発明は、光学読取部を用いなくても通帳のページ捲りが正常に行われたかどうかを判断できるようにし、ページ捲り動作の時間を大幅に短縮できる通帳取扱い装置を提供する。【解決手段】  ページ替え部に通帳の厚みを検知するセンサーを設け、ページ替え部によるページ替えの前と後で通帳の厚みを検知し、この前後の厚みの差と予め定めた閾値とを比較することによりページ捲りが正常に行われたか否かを判断する。この判断によりページ捲りが正常に行われていない場合には、通帳のページ捲りを再度実施する。これにより、ページ替え時間を大幅に短縮することができる。【選択図】図４
2020090038.tif 000002
【特許請求の範囲】
【請求項１】
通帳を所定方向に搬送する搬送装置と、前記通帳に記載されたデータを読取る光学読取部と、前記通帳のページ捲りを行うページ替え部とを配置した通帳取扱い装置であって、
前記ページ替え部に搬送される前記通帳の厚みを検知する厚み検知センサーと、
前記厚み検知センサーから前記ページ捲り前の厚みと前記ページ捲り後の厚みとを入力して厚み差を求め、前記厚み差に基づいて前記ページ捲りが正常に実施されたか否かを判断し、前記ページ捲りが正常に実施されていない場合には前記ページ替え部により前記通帳の前記ページ捲りを再度実施する制御部と、
を設けた通帳取扱い装置。
【請求項２】
請求項１記載の通帳取扱い装置において、
前記制御部は、前記通帳を構成する用紙１枚分の厚さを判断するために選定された第１閾値と、前記通帳を構成する用紙２枚分の厚さを判断するために選定された第２閾値とを用意し、前記厚み差が前記第１閾値より小さい場合に前記ページ捲りが行われていないものと判断し、前記厚み差が前記第２閾値より大きい場合に多重捲りが行われたものと判断すること、を特徴とする通帳取扱い装置。
【請求項３】
請求項１記載の通帳取扱い装置において、
前記制御部は、前記ページ捲りを前記再度実施した後に、前記通帳を前記光学読取部の設置された位置に搬送し、前記光学読取部が前記通帳のページ情報を読取り、前記ページ捲りが正常に行われたことを確認すること、を特徴とする通帳取扱い装置。
【請求項４】
通帳を所定方向に搬送する搬送装置と、前記通帳に記載されたデータを読取る光学読取部と、前記通帳のページ捲りを行うページ替え部とを配置した通帳取扱い装置を制御する通帳取扱い装置の制御方法であって、
前記ページ替え部に搬送される前記通帳の厚みを検知する厚み検知センサーを設けておき、
前記厚み検知センサーから前記ページ捲り前の厚みと前記ページ捲り後の厚みとを入力して厚み差を求め、
前記厚み差に基づいて前記ページ捲りが正常に行われたか否かを判断し、
前記ページ捲りが正常に行われていない場合には前記ページ替え部により前記通帳の前記ページ捲りを再度実施するようにした通帳取扱い装置の制御方法。
【請求項５】
請求項４記載の通帳取扱い装置の制御方法において、
前記通帳を構成する用紙１枚分の厚さを判断するために選定された第１閾値と、前記通帳を構成する用紙２枚分の厚さを判断するために選定された第２閾値とを用意しておき、前記厚み差が前記第１閾値より小さい場合に前記ページ捲りが行われていないものと判断し、前記厚み差が前記第２閾値より大きい場合に多重捲りが行われたものと判断すること、を特徴とする通帳取扱い装置の制御方法。
【請求項６】
請求項４記載の通帳取扱い装置の制御方法において、
前記ページ捲りを前記再度実施した後に、前記通帳を前記光学読取部の設置された位置に搬送し、前記光学読取部が前記通帳のページ情報を読取り、前記ページ捲りが正常に行われたことを確認すること、を特徴とする通帳取扱い装置の制御方法。
【発明の詳細な説明】
【技術分野】
【０００１】
本発明は、通帳取扱い装置および通帳取扱い装置の制御方法に関する。
【背景技術】
【０００２】
銀行システムなどの金融機関システムに採用される自動取引装置（ＡＴＭ：Automated Tellers Machine)には通帳取扱い装置が設置されている。この通帳取扱い装置には、通帳等の冊子媒体（以下、単に「通帳」と称する）の頁を捲る機構（ページ替え部）が備わっている。通帳は、通帳表紙と通帳中紙とで構成されるが、表紙と中紙との厚みは異なり、また材質も異なるのが一般的である。ページ替え部はページ捲り用ローラを有しており、このページ捲り用ローラの摩擦力を利用して通帳の表紙及び中紙のページ捲り（ページ替え）を行うが、表紙を捲る場合も中紙を捲る場合も同じページ捲り用ローラを使用する。そのため、紙の厚みの違いや、紙質や通帳の状態ばらつきによって、ページ捲りが正常に行われない場合が生じている。例えば、厚みが厚い表紙のページ捲りがうまく実施できなかったり、あるいは厚みの薄い中紙は２枚以上の多重枚捲りを行ってしまうなどの問題を抱えている。
【０００３】
このような問題に対して、通帳のぺージの長さ、厚さ、紙の剛性等のばらつきに関らず確実にページ替えを行うことができるとする技術が、特開２００２−１２７６４３号公報（特許文献１）に記載されている。この特許文献１の技術は、通帳の長さ検知用センサーと厚み検知用センサーを用意し、長さ検知用センサーの検知出力を用いて通帳を所定の停止位置に停止させ、また厚み検知用センサーの出力によりページ替えローラのギャップを所定ギャップに調整するというものである。
【先行技術文献】
【特許文献】
【０００４】
【特許文献１】特開２００２−１２７６４３号公報
【発明の概要】
【発明が解決しようとする課題】
【０００５】
この特許文献１には、媒体の長さを検知し、停止位置を変えることによって通帳のページ替えする位置を自動調整することで安定した捲り精度を得られると記載されている。
しかし、特許文献１においては、ページ捲りが正常に行われたかどうかの判断は、通帳をページ捲り部から光学読取部へ搬送し、通帳に印刷されたページ情報であるページバーコードを読取って判断している。その結果、もし、多重枚の捲りをしているという判断となれば、通帳を再びページ替え部に戻す搬送を行い、ページ替え部において捲り戻す制御を行っている。また、ページ捲りができなかったと判断された場合も、同様に通帳を再びページ替え部に戻す搬送を行い、ページ捲りを再度実行するよう制御している。
このため、特許文献１の場合、ページ捲りを行った後、毎回、光学読取部へ通帳を搬送し、通帳に印刷されたページバーコードを確認して正常なページ捲りが行われたかどうかを判断し、正常でない場合にはページ替え部に戻す搬送を行い、ページ替え部で再び捲り直しを行なうので、処理時間がかかってしまう。
【０００６】
そこで、本発明の目的は、ページ替え部において通帳のページ捲りが行われた場合に、正常に行われたかどうかの判断を光学読取部への搬送を行わずとも行えるようにし、処理時間を大幅に短縮することができる通帳取扱い装置および通帳取扱い装置の制御方法を提供することである。
【課題を解決するための手段】
【０００７】
本発明は、その一例を挙げると、通帳を所定方向に搬送する搬送装置と、前記通帳に記載されたデータを読取る光学読取部と、前記通帳のページ捲りを行うページ替え部とを配置した通帳取扱い装置であって、前記ページ替え部に搬送される前記通帳の厚みを検知する厚み検知センサーと、前記厚み検知センサーから前記ページ捲り前の厚みと前記ページ捲り後の厚みとを入力して厚み差を求め、前記厚み差に基づいて前記ページ捲りが正常に実施されたか否かを判断し、前記ページ捲りが正常に実施されていない場合には前記ページ替え部により前記通帳の前記ページ捲りを再度実施する制御部と、を設けた通帳取扱い装置である。
【０００８】
また、本発明は、他の一例を挙げると、通帳を所定方向に搬送する搬送装置と、前記通帳に記載されたデータを読取る光学読取部と、前記通帳のページ捲りを行うページ替え部とを配置した通帳取扱い装置を制御する通帳取扱い装置の制御方法であって、前記ページ替え部に搬送される前記通帳の厚みを検知する厚み検知センサーを設けておき、前記厚み検知センサーから前記ページ捲り前の厚みと前記ページ捲り後の厚みとを入力して厚み差を求め、前記厚み差に基づいて前記ページ捲りが正常に行われたか否かを判断し、前記ページ捲りが正常に行われていない場合には前記ページ替え部により前記通帳の前記ページ捲りを再度実施するようにした通帳取扱い装置の制御方法である。
【発明の効果】
【０００９】
本発明は、ページ替え部に通帳の厚みを検知する厚み検知センサーを設け、ページ替え部におけるページ捲りの前と後の厚み差を用いてページ捲りが正常であるか否かの判断を行い、この判断に基づき正常でない場合にはページ替え部を用いてページめくりを再度実施するようにしたので、ページ捲りに要する処理時間を大幅に短縮することができる。
【図面の簡単な説明】
【００１０】
【図１】本発明の一実施例にかかる通帳取扱い装置の構成を示す図である。
【図２】通帳に印刷されているページ情報を示すバーコードを示す図である。
【図３】図１に示す本発明の実施例の動作フロー図である。
【図４】図３に示す動作フローの一部を詳細に記載した動作フロー図である。
【図５】ページ替え部の構成を示す図である。
【図６】ページ替え部におけるページ捲りの状態を示す図である。
【図７】厚み検知センサーを搭載したページ替え部を示す図である。
【図８】厚み検知センサーを搭載したページ替え部を示す図である。
【図９】ページ替え部のページ捲りができない場合を説明する図である。
【図１０】ページ替え部の多重枚捲りを説明する図である。
【発明を実施するための形態】
【００１１】
以下、本発明の具体的な実施例について、図１〜図１０を用いて説明する。なお、本発明は、通帳のページ捲り機能を有する通帳取扱い装置全般に適用できるものであり、以下に説明する実施例に限定されるものではない。
【００１２】
図１は、本発明の実施例にかかる通帳取扱い装置の構成を示している。図２は通帳に印刷されているページ情報を示すバーコード例を示す。図３および図４は、図１の実施例の動作フローを示す図である。図５〜図１０は、ページ替え部の構成やその動作を説明するための図である。
【００１３】
(通帳取扱い装置の構成説明)
まず、図１において、通帳１が挿入口２から投入されると、搬送装置が通帳１を搬送する。搬送装置については、ここでは、搬送ローラを備えた搬送部３しか記載していないが、通帳を搬送する搬送ベルトと、この搬送ベルトを駆動する駆動機構で構成されている。駆動部９は、この搬送装置を駆動するものである。読取記録部４は、通帳の記載（記録）がいっぱいになり、新通帳を発行する際に、新規通帳の磁気ストライプに情報を書込むためなどに用いる。新規通帳は、通帳繰出部１０から繰り出される。光学読取部５は、搬送路上面に配置されており、通帳１の開かれた紙面上に記録された情報を光学的に検知する。印字部６は、搬送路上面に配置されており、通帳に必要な情報（取引情報等）を印刷する（記帳する）。ページ替え部７は、搬送されてきた通帳１のページ捲りを行うものであり、具体的な構成は後述する。制御部８は、通帳取扱い装置機構部全体を制御する機能を有する。
【００１４】
（通帳取扱い装置の動作説明）
次に、図１の通帳取扱い装置の動作を、図３及び図４の動作フロー図を用いて説明する。図３は通帳取扱い動作全体を示しており。図４は図３の動作における「ページ捲り処理」の詳細な動作を示している。
【００１５】
まず、図３において、利用者が通帳1を通帳取扱い装置の挿入口２に挿入する。この通帳挿入により動作が開始される。
【００１６】
ステップＳ０１では、挿入口２に挿入された通帳１は搬送路上のセンサー（図１において図示せず）により検知され、制御部８がその検知信号を受けて駆動部９を駆動し、搬送部３にあるローラによって通帳1を搬送し、搬送路上面に配置した光学読取部５で、図２に示す通帳のページ上の印字済み行数やページバーコード２１の光学情報を読取る。またステップS０２では、搬送路下面に配置した記録部４にて通帳磁気ストライプの磁気情報を読取る。
【００１７】
ステップＳ０３では磁気情報が正しく読取れたかどうかを判断し、正しく読取れた（ＹＥＳ）場合、それらの結果を図示しない上位制御部に送信し、該通帳に対する当該金融機関通帳かを判断する（ステップＳ０４）。ステップＳ０４において、当金融機関の通帳である場合（ＹＥＳの場合）、ステップＳ０５に進む。通帳１が他の金融機関が発行したものである場合（ＮＯの場合）は、駆動部９を駆動し、通帳１を返却する。
【００１８】
ステップＳ０５では、光学情報と磁気情報の一致性のほか未記帳データの有無を判断し、光学情報と磁気情報が一致し未記帳データが有る場合(ＹＥＳの場合)、ステップＳ０６に進み、印字部6で通帳1に利用者の取引内容の印字を行なう。ステップＳ０５において未記帳データが無ければ（ＮＯの場合）、通帳１は利用者に返却する。
【００１９】
次に、ステップＳ０７では、装置取扱者の通帳の記載が一杯になったかどうか、すなわちページ（頁）が満行かつ未記帳データがあるかどうかの判断を行う。ここで、通帳に記載する行がなくなった（満記になった）ときには、一時的に、通帳１を通帳一時退避部１１に通帳を送り、通帳繰出部１０から新規の通帳が閉じたまま繰出される。そして、印字部６で利用者の名前や支店名を印字し、ページ替え部7で表紙ページをめくり、印字部6で装置取扱者の取引情報を印字し、記録部４で磁気ストライプに情報を書込み、挿入口２から利用者に新規の通帳１を返却し、次いで通帳一時退避部１１に退避していた満記になった通帳１を返却する。
【００２０】
ステップＳ０８では、通帳のページ捲りが必要な場合に、ページ替え部７によりページ捲りを実行する。このステップＳ０８の動作の詳細は後述するが、その前に、ここでページ替え部７の構成を説明する。
【００２１】
（ページ替え部の説明）
ページ替え部７の構成を、図５〜図１０に示す。ページ替え部7では、通帳繰出部１０から繰出された新規通帳の表紙を捲る機能とユーザ（利用者）が挿入した通帳の中紙を捲る機能を有しており、これらを同じ機構でページ捲りを行っている。
【００２２】
まず、図５、図６により、ページ替え部7の基本構成を説明する。ページ替え部7は、ページ替えを専用のページ替えローラ１２を有しており、ページ替えローラ１２を回転させ通帳１に押しつけ、変形させながら捲る摩擦分離方式を使用している。この方式は通帳を形成する紙の特性である剛性や紙面間(ページ間)の摩擦係数があらかじめ定められた規定範囲にあることを前提としており、それら特性値が流通通帳の保存状態などでバラつくことがある。そのような場合、通帳のページを２枚重ねて捲ってしまったり、ページ捲りが実施されない場合もある。図５は通帳を搬送している状態を示し、図６はページ捲りを行っている状態を示している。
【００２３】
次に、この図１に示す本発明の実施例に用いるページ替え部７の構成を図７〜図１０を用いて説明する。この実施例におけるページ替え部７は、図７〜図１０に示すように、ページ替え部7の搬送ローラ１３のシャフトに接触するように厚み検知センサー１４を取付けている。厚み検知センサー１４を形成するセンサーブレード１４ｂはセンサーアセンブリ内に回転支軸１４ｃを持って取付けられており、無作用時はばね１４ａの力で図示上反時計方向に型取りされるが、センサーブレードに接する搬送ローラ１３が下がるとセンサーブレードは、それに伴い回転支軸１４ｃを中心に時計方向に回転する。そのセンサーブレードの回転量を検出することで搬送ローラ１３の下がり量、つまり搬送ローラ１３がその時点で挟持する通帳の厚み量を検知することができる。これによって、通帳1の搬送によって搬送ローラが上下し、シャフトに接触している厚み検知センサー１４は、搬送している通帳の厚み分ブレード１４ａが押し込まれ、通帳の厚みを定量的に検知する。なお、ここで説明した厚み検知センサー１４は一例にすぎず、本発明では厚みを検知可能な厚み検知センサーであればどのような種類のセンサーでも使用できる。
【００２４】
通帳のページ厚みは予め把握されているので、ページ捲り前とページ捲り後で厚みを比較すれば何枚捲れたかがわかる。つまり、ページを１枚のみ捲っている場合（正常なページ捲りの場合）は、厚み検知センサー１４が正常値相当量しか押込まれない。このため、正常に捲れていることが判断できる。例えば、図１０のページ１ａ，1ｂに示すように、２枚重ねて捲っている場合には、搬送ローラの上下量が正常に１枚のみ捲ったときより大きくなり、厚み検知センサー１４が過剰に押し込まれる。また、図９のように、ページを捲りあげることができなかった場合には搬送前と厚みが変化しないため、ページ捲りができなかったことを判断できる。
【００２５】
（通帳取扱い装置の動作説明の続き）
さて、次に、再び図３と図４に戻り、動作説明を行う。図３のステップＳ０８の詳細な動作を、図４により詳細に説明する。
【００２６】
まず、図４において、ステップＳ８１では、通帳１がページ替え部７まで搬送される。この搬送後、ステップＳ８２では、ページ替え部７がページ捲りを実施する前に、厚み検知センサー１４により通帳厚みＡを検知し、この捲り前の厚みＡは、制御部８に入力される（取込まれる）。
【００２７】
その後、ステップＳ８３に進み、ページ替え部７の頁替えローラ１２を回転させて通帳１のページを捲る。
【００２８】
このページ捲り動作後において、ステップＳ８４では、厚み検知センサー１４により、ページ捲り後の厚みＢを検知し、制御部８（図１参照）はこのページ捲り後の厚みＢを取込む。そして、制御部８は、その厚み差（Ａ−Ｂ）を求める。
【００２９】
ここで、この実施例では、２つの閾値を用いて、通帳のページめくりが正常に行われたか否かを判定する。すなわち、通帳を構成する用紙１枚分の厚さを判断するために選定された第１閾値Ｔ１と、前記通帳を構成する用紙２枚分の厚さを判断するために選定された第２閾値Ｔ２とを用意し、前記厚み差（Ｂ−Ａ）が前記第１閾値より小さい場合に前記ページ捲りが行われていないものとし、前記厚み差（Ｂ−Ａ）が前記第２閾値より大きい場合に多重捲りが行われたものと判断する。例えば、通帳１の中紙１枚の厚みを０．１ｍｍとした場合、第１の閾値Ｔ１を、紙面バラつきや厚みセンサー検知バラつきを考慮して、例えば、Ｔ１＝０．０５ｍｍと設定する。また、第２の閾値Ｔ２を、中紙１枚の厚みを０．１ｍｍより大きい値、例えばＴ２＝０．１５ｍｍに設定しておく。
【００３０】
図４のステップＳ８５では、厚み差（Ｂ―Ａ）の値が第１設定値Ｔ１より小さいかどうか、すなわち（Ｂ−Ａ）＜Ｔ１を判断する。この判断の結果、（Ｂ−Ａ）＜Ｔ１であれば（ＹＥＳの場合）、捲り前後の厚み差が中紙1枚以下（０．１ｍｍ以下）なので図９に示すように通帳のページが捲れていない状態と判断する。この場合、ステップＳ８２に戻り、ステップＳ８２〜ステップＳ８５の動作、すなわちリトライ動作を実施する。ステップＳ８５において、ＮＯの場合には、通帳のページ捲りは行われていると判断し、ステップＳ８６に進む。
【００３１】
ステップＳ８６では、（Ｂ−Ａ）＞Ｔ２であるかどうかを判断する。（Ｂ−Ａ）＞Ｔ２の結果がＹＥＳの場合、図１０に示すような、２枚以上の多重捲りであると判断する。この場合は、ステップＳ８６に進む。ステップＳ８６では、ページ替え部７のページ替えローラ１２を逆回転して捲り戻し動作を実行し、ステップＳ８４に戻る。ステップＳ８４、ステップＳ８５、ステップＳ８６の動作は、ステップＳ８６においてＮＯとなるまで実施される。
【００３２】
ステップＳ８６において、厚み差（Ｂ−Ａ）がＴ２より小さい場合（ＮＯの場合）には、通帳のページめくりが正常に行われたものと判断する。
【００３３】
このようにして、ページ替え部７に通帳が存在している状態において、通帳の厚み差（Ｂ−Ａ）を求め、その結果に基づいて正常なページ捲りが実施されたかどうかを判断し、正常なページ捲りでない場合には正常なページ捲りとなるまでステップＳ８１〜Ｓ８７の処理動作が行われる。
【００３４】
この動作は、通帳がページ替え部７に存在している状態で繰り返される。そのため、通帳を読取位置に通帳を戻す搬送、およびページ捲りが正しく行えなかったと判断した場合に、正しいページに捲りなおすために再びページ読取部に戻す搬送は不要である。
この図４のステップＳ８６においてＮＯの判定になると、正常なページ捲りが実施されたものと判断し、図３のステップＳ０９に進む。
【００３５】
図３のステップＳ０９では、通帳１を光学読取部５に搬送し、通帳のページバーコード２１を読取、正しいページになっているかどうかの最終確認を行い、問題なければステップＳ１１に進む。もし、ステップＳ１０において、正しいページになっていない場合には、ステップＳ０８に戻しページ捲りを行う。上述したように、基本的に通帳は正しいページに捲られているはずであるが、ステップＳ０９とＳ１０ではそのことを最終的に確認する。ステップＳ１０において、正しいページであると判断した場合、ステップＳ１１に進む。
ステップＳ１１では、通帳への未記帳データの印字処理を行う。そして、ステップＳ１２にて磁気ストライプの記録処理後、通帳返却のために通帳を挿入口２に搬送する。
【００３６】
（実施例の効果）
以上説明したように、この実施例では、ページ替え部７に設置した厚みセンサー１４によるページ捲り前後の厚みを検知し、ページ捲り前後の厚み差（Ｂ−Ａ）により、ページ捲りが正常に行われたか否かを判断できるので、ページ捲りの都度光学読取部へ５に搬送する動作が不要となる。また、ページ捲りが正常に行われなかった場合にページ捲り部に通帳を搬送する必要もなくなる。したがって、ページ捲りに要する時間を大幅に短縮することができる。
【符号の説明】
【００３７】
１…通帳、２…挿入口、３…搬送部、４…記録部、５…光学読取部、６…印字部、７…ページ替え部、８…制御部、９…駆動部、１０…通帳繰出部、１１…通帳一時退避部、１２…ページ替えローラ、１３…搬送ローラ、１４…厚み検知センサー
【図１】
2020090038.tif 000003
【図２】
2020090038.tif 000004
【図３】
2020090038.tif 000005
【図４】
2020090038.tif 000006
【図５】
2020090038.tif 000007
【図６】
2020090038.tif 000008
【図７】
2020090038.tif 000009
【図８】
2020090038.tif 000010
【図９】
2020090038.tif 000011
【図１０】
2020090038.tif 000012